(57)【要約】  【課題】  地震の際の転倒物や落下物などから就寝中の人身を保護することができ、しかも設置空間が従来のベッドとほぼ同じで、調度品として見た場合にも外観上違和感を与えない防災ベッドを提供する。  【解決手段】  寝具を載置する架台を構成する本体フレーム１と、ヘッドボードを取り付けるためのヘッドフレーム２とを設ける。そして、ヘッドフレーム２の一部又は全体が寝起きの妨げとならない通常位置と、寝ている人の身体の少なくとも一部を覆う防護位置とに回動できるようにとする。【選択図】      図１
2006130204.tif 000002
【特許請求の範囲】
【請求項１】
寝具を載置する架台を構成する本体フレームと、ヘッドボードを取り付けるためのヘッドフレームとを備え、ヘッドフレームの一部又は全体が寝起きの妨げとならない通常位置と、寝ている人の身体の少なくとも一部を覆う防護位置とに回動可能であることを特徴とする防災用ベッド。
【請求項２】
前記本体フレームが、一対の頭側脚部、一対の足側脚部、頭側脚部と足側脚部とに架設される縦フレーム、一対の頭側脚部間および一対の足側脚部間に架設される横フレームとを備え、
前記ヘッドフレームがヘッドボードが取り付けられる垂直柱部を備え、
前記ヘッドフレームの垂直柱部と前記縦フレームとの間に手摺りが架設され、この手摺りに力を加えることによって、手摺りと縦フレームとの取付部分を中心としてヘッドフレームの全体又は上部が回動される請求項１記載の防災用ベッド。
【請求項３】
前記本体フレームが、寝具の載置面よりも上方に突出した一対の頭側脚部、一対の足側脚部、頭側脚部と足側脚部とに架設される縦フレーム、一対の頭側脚部間および一対の足側脚部間に架設される横フレームとを備え、
前記ヘッドフレームがヘッドボードを取り付ける垂直柱部を備え、
前記頭側脚部の上端部に前記ヘッドフレームの垂直柱部の下端部が回動可能に連結している請求項１記載の防災用ベッド。
【請求項４】
前記頭側脚部と前記縦フレームとの間に手摺りが架設され、前記ヘッドフレームを回動させて防護位置としたとき、ヘッドフレームの垂直柱部と手摺りとが圧接する請求項３記載の防災用ベッド。
【請求項５】
前記架台の内部に、人が避難できる避難用空間が形成されている請求項１〜４のいずれかに記載の防災用ベッド。
【請求項６】
前記本体フレームの周側面に板状部材を取り付けて前記避難用空間を密閉状態とすると共に、少なくとも一方の長手側面に取り付けた板状部材を開閉自在として、前記避難用空間への出入用扉とした請求項５記載の防災用ベッド。
【請求項７】
前記出入用扉を前記架台の内部側から施錠可能とした請求項６記載の防災用ベッド。
【発明の詳細な説明】
【技術分野】
【０００１】
本発明は防災用ベッドに関し、より詳細には就寝中に地震が発生したときに、家具や家電機器などの転倒や落下から人を守ることができる防災用ベッドに関するものである。
【背景技術】
【０００２】
地震によって、タンスなどの家具が倒れ、照明器具などの家電機器が落下し、さらには天井や壁が崩落し、多くの人が負傷し命を落とされてきた。特に、就寝中に地震が起きた場合には、とっさに避難・防衛体勢を取ることができず人的被害が大きかった。
【０００３】
そこで、例えば特許文献１では、ベッド本体の上方に天井部付きの保護枠部を設けて、地震による転倒物や落下物から人身を保護する防災ベッドが提案されている。また特許文献２では、ベッド本体の前面側と背面側に円弧状の一対の金属製防護フレームを取り付けるとともに、一対の防護フレーム間に複数の横桟を連結し、家屋が倒壊したような場合でも耐えうる防災ベッドが提案されている。
【特許文献１】特開平９−２０１２５９号公報（特許請求の範囲、図１〜図３）
【特許文献２】特開２００４−２０８９５５号公報（特許請求の範囲、図１）
【発明の開示】
【発明が解決しようとする課題】
【０００４】
上記提案された防災ベッドによれば確かに、地震の際の転倒物や落下物などから就寝中の人身を保護することができる。しかしながら、このような防災ベッドを設置するには、高さも含めて広い場所が必要となるため、設置できる家庭および場所が限られる。また部屋に設置した場合には、日常の生活空間がかなり狭められる。さらに調度品として見た場合、部屋に調和する外観形状であるとは言い難い。
【０００５】
本発明はこのような従来の問題に鑑みてなされたものであり、その目的とするところは、地震の際の転倒物や落下物などから就寝中の人身を保護することができ、しかも設置空間が従来のベッドとほぼ同じで、調度品として見た場合にも外観上違和感を与えない防災ベッドを提供することにある。
【０００６】
また本発明の目的は、震災からの人身の保護のみならず、侵入者などからの人身の保護をも図れる防災ベッドを提供することにある。
【課題を解決するための手段】
【０００７】
本発明によれば、寝具を載置する架台を構成する本体フレームと、ヘッドボードを取り付けるためのヘッドフレームとを備え、ヘッドフレームの一部又は全体が寝起きの妨げとならない通常位置と、寝ている人の身体の少なくとも一部を覆う防護位置とに回動可能であることを特徴とする防災用ベッドが提供される。
【０００８】
地震発生の際、ヘッドフレームの一部を防護位置に直ちに移動させる必要性から、本体フレームに、一対の頭側脚部、一対の足側脚部、頭側脚部と足側脚部とに架設される縦フレーム、一対の頭側脚部間および一対の足側脚部間に架設される横フレームとを設け、前記ヘッドフレームにヘッドボードが取り付けられる垂直柱部を設け、前記ヘッドフレームの垂直柱部と前記縦フレームとの間に手摺りを架設し、この手摺りに力を加えることによって、手摺りと縦フレームとの取付部分を中心としてヘッドフレームの全体又は上部が回動するようにしてもよい。
【０００９】
あるいは、一対の頭側脚部を寝具の載置面よりも上方に突出させ、この頭側脚部の上端部にヘッドフレームの垂直柱部の下端部を回動可能に連結してもよい。このとき、頭側脚部と縦フレームとの間に手摺りを架設し、ヘッドフレームを回動させて防護位置としたとき、ヘッドフレームの垂直柱部と手摺りとが圧接するようにしてもよい。
【００１０】
また、強い地震のときに生ずる天井の落下や家屋の倒壊といった重大な事態からも人身を保護する観点から、前記架台の内部に、人が避難できる避難用空間を形成するのが好ましい。
【００１１】
ここで、震災から人身を守ると共に、侵入者などからも人身を守る観点から、本体フレームの周側面に板状部材を取り付けて前記避難用空間を密閉状態とし、少なくとも一方の長手側面に取り付けた板状部材を開閉自在として、避難用空間への出入用扉にしてもよい。この場合出入用扉を前記架台の内部側から施錠可能とするのが好ましい。
【発明の効果】
【００１２】
本発明の防災ベッドによれば、地震の際、ヘッドフレームの一部又は全体を通常位置から防護位置に移動させることによって、転倒物や落下物などから就寝中の人身を保護できる。また、本発明の防災ベッドでは、従来と異なって重厚な保護用部材を取り付けないので、広い設置空間を必要とせず従来のベッドとほぼ同じ設置空間で足り、また従来のベッドと外観上大きな相違がなく、調度品として見た場合にも違和感を与えることがない。
【００１３】
また本体フレームに、頭側脚部と足側脚部とに架設される縦フレームを設けると共に、ヘッドフレームに垂直柱部を設け、縦フレームと垂直柱部との間に手摺りを架設し、この手摺りに力を加えることによって、手摺りと縦フレームとの取付部分を中心としてヘッドフレームの一部又は全体が回動するようにすると、地震発生の際、ヘッドフレームを通常位置から防護位置に直ちに移動できるようになる。
【００１４】
一対の頭側脚部を寝具の載置面よりも上方に突出させ、この頭側脚部の上端部にヘッドフレームの垂直柱部の下端部を回動可能に連結しても、前記と同様に、地震発生の際、ヘッドフレームを通常位置から防護位置に直ちに移動できるようになる。このとき、頭側脚部と縦フレームとの間に手摺りを架設し、ヘッドフレームを回動させて防護位置としたとき、ヘッドフレームの垂直柱部と手摺りとが圧接するようにすると、転倒物や落下物などによる強い衝撃にも耐えられるようになる。
【００１５】
架台の内部に、人が避難できる避難用空間を形成すると、強い地震のときに生ずる天井の落下や家屋の倒壊といった重大な事態からも人身を保護することができる。また、本体フレームの周側面に板状部材を取り付けて前記避難用空間を密閉状態とし、少なくとも一方の長手側面に取り付けた板状部材を開閉自在として、前記避難用空間への出入用扉にすると、泥棒などが部屋に侵入したとき架台内部の避難用空間に逃げ込むことができ、侵入者から人身を守ることができる。このとき出入用扉が架台の内部側から施錠できると、侵入者からより確実に人身を守ることができるようになる。
【発明を実施するための最良の形態】
【００１６】
以下、本発明の転倒防止装置について図に基づいて説明する。なお、本発明はこれらの実施形態に何ら限定されるものではない。
【００１７】
図１に、本発明に係る防災ベッドの一実施形態例を示す斜視図を示す。この図の防災ベッドは、寝具を載置する架台を構成する本体フレーム１と、ヘッドボード５１（図４に図示）を取り付けるためのヘッドフレーム２とを備えている。本体フレーム１は、一対の頭側脚部１１ａ，１１ｂと、一対の足側脚部１２ａ，１２ｂと、頭側脚部１１ａ，１１ｂと足側脚部１２ａ，１２ｂとの間に架設された縦フレーム１３ａ，１３ｂと、頭側脚部１１ａ，１１ｂの間に架設された横フレーム１４ａ、足側脚部１２ａ，１２ｂとの間に架設された横フレーム１４ｂとを備え、縦フレーム１３ａ，１３ｂの間には補強のために複数の横桟１５が架設されている。
【００１８】
一方、ヘッドフレーム２は、垂直柱部２１ａ，２１ｂと、これらの上端を接続する水平柱部２２とが一体成形されてなる。具体的には、金属製の管が屈曲されて逆Ｕ字形状に成形されてなる。もちろんヘッドフレーム２の形状はこれに限定されるものではなく、ヘッドボード５１（図４に図示）を取り付けることができる範囲で種々の形状が採り得る（例えば図５〜図８の形状）。またヘッドボード５１（図４に図示）の材質としては金属やプラスチック、木材など従来公知のものを使用でき、その形状についても枕の落下を防止すると共に、落下物から身体を守るような形状であれば特に限定はない。
【００１９】
ヘッドフレーム２の垂直柱部２１ａ，２１ｂと、フレーム本体１の縦フレーム１３ａ，１３ｂとの間に、略Ｌ字形状の手摺り３ａ，３ｂが取り付けられている。なお、手摺り３ａ，３ｂの一方端は、垂直柱部２１ａ，２１ｂに固着され、もう一方端は縦フレーム１３ａ，１３ｂに回動軸４１で軸着されている。
【００２０】
このような構成の防災用ベッドにおいて、寝ているときに地震が発生した場合、ヘッドフレーム１を回動させる方向（図の矢印）に手摺り３ａ，３ｂに力を加える。すると、回動軸４１を中心として、手摺り３ａ，３ｂと共にヘッドフレーム２が本体フレーム１の上方の防護位置に回動する。このときの図を図２に示す。
【００２１】
図２から理解されるように、ヘッドフレーム２が防護位置になると、ベッド上で寝ている人の頭部および胸部がヘッドフレーム２によって覆われ転倒物や落下物から守られる。もちろん、ヘッドフレーム２の垂直柱部２１ａ，２１ｂにはヘッドボード５１（図４に図示）が取り付けられるので、ヘッドフレーム２の垂直柱部２１ａ，２１ｂの間に落下してきた物についても、人の頭部等に直接当たることはない。当然ながら、ヘッドフレーム２２によって覆われる面積、すなわちヘッドフレーム２によって保護される面積は、ヘッドフレーム２の垂直柱部２１ａ，２１ｂが長いほど広くなるが、垂直柱部２１ａ，２１ｂが長いほど防護位置としたときの垂直強度が弱くなるので、垂直柱部２１ａ，２１ｂの長さはヘッドフレーム２の材質などを考慮して適宜決定するのがよい。
【００２２】
そして、地震が収まれば、手摺り３又はヘッドフレーム２に、先程とは逆方向に力を加えてヘッドフレーム２を通常位置に戻す。なお、この実施形態ではヘッドフレーム２の回動を手動で行っているが、駆動源を設けてヘッドフレーム２の回動を行わせてもよい。また地震検知器をさらに設け、地震が発生した場合に、ヘッドフレーム２を防護位置に自動的に回動させるようしてもよい。
【００２３】
また、ヘッドフレーム２を防護位置としたときに、転倒物や落下物などによる衝撃によってヘッドフレーム２が回動しないように、ヘッドフレーム２の回動を阻止する固定手段を設けるのが好ましい。固定手段の一例を図３に示す。図３は、手摺り３ｂが、回動軸４１によって縦フレーム１３ｂに回動可能に取り付けられている部分の拡大図である。手摺り３ｂの端部にロック基板７１が手摺り３ｂに対して略垂直に固着されている。ロック基板７１の下辺には円弧状の切欠き部７１１が形成され、ロック基板７１の裏面側にはロックアーム７２がピン７３で揺動自在に取り付けられている。このロックアーム７２には、下方側から切り欠かれたロック用切欠き部７２１と把持部７２２とが形成されている。一方、縦フレーム１３ｂには、手摺り３ｂが回動軸４１を中心として反時計回りに約９０度回転したときに、ロック基板７１の切り欠き部７１１と係合する位置にロックピン７４が取り付けられている。
【００２４】
このような構成の固定手段において、ヘッドフレーム２（図１に図示）が通常位置の場合、すなわち図３（ａ）の状態では、ロックアーム７２は自重によって把持部７２２の下側面がロックピン７４と接触した状態となっている。ヘッドフレーム２が通常位置から防護位置へ回転すると、把持部７２２がロックピン７４上を摺動して、ロックアーム７２はピン７３を中心として反時計回りに回転する。そして、ヘッドフレーム２が防護位置となった時、すなわち手摺り３ｂが反時計回りに９０度回転した時（図３（ｂ））、ロックアーム７２のロック用切欠き部７２１がロックピン７４に填り込む。これにより手摺り３ｂの回動が阻止され、ヘッドフレーム２が防護位置に固定される。またこの時、ロック基板７１の切欠き部７１１もロックピン７４と係合する。これにより、ヘッドフレーム２に加わる力を回動軸４１と共にロックピン７４でも受け止めることができるようになり防災用ベッドの耐衝撃性が向上する。
【００２５】
ヘッドフレーム２を防護位置から通常位置にする場合には、図３（ｂ）において、ロックアーム７２の把持部７２２を上方に持ち上げ、ロック用切欠き部７２１とロックピン７４との係合を解除する。そして、ヘッドフレーム２又は手摺り３を回転させて通常位置とする。
【００２６】
以上のように、本発明の防災用ベッドでは、地震の際の転倒物や落下物から就寝中の人身を保護するが、強い地震のときに生ずる天井の落下や家屋の倒壊といった重大な事態からも人身を保護するには、本体フレーム１の内部に、人が避難できる避難用空間１０（図１に図示）を形成しておくのが好ましい。さらには、泥棒などが部屋に侵入したときにも侵入者から人身を守れるように、この避難用空間を密閉可能としておくのが好ましい。このような防災用ベッドの一例を図４に示す。
【００２７】
図４の防災用ベッドでは、ヘッドフレーム２の内側全体を塞ぐようにヘッドボード５１が取り付けられ、本体フレーム１上には敷板５０が載置されている。実使用時には敷板５０上に不図示の寝具が載置される。そして、本体フレーム１の長手側面には、上辺を中心として揺動可能に側板５２ａ，５２ｂが取り付けられ、本体フレーム１の短手側面には下辺を中心として揺動可能に収納箱５３ａ，５３ｂが取り付けられている。もちろん、側板５２ａ，５２ｂは少なくとも一方が揺動可能であればよく、また収納箱５３ａ，５３ｂの代わりに、長手側面と同様に、側板を取り付けても構わない。なお、図４における収納箱５３ａ，５３ｂは避難用空間１０を密閉状態とする板状部材の役割も果たしている。
【００２８】
このような構成の防災用ベッドにおいて、避難用空間１０に避難する場合には、一方の側板５２ｂを開けて避難用空間１０に入り込む。そして必要により、側板５２ｂに取り付けられた施錠手段（不図示）によって側板５２ｂが開かないように施錠する。これにより不意の侵入者からも身を守ることができる。また、使用者の身体に合わせて必要な避難用空間１０を確保できるように、頭側脚部１１ａ，１１ｂおよび足側脚部１２ａ，１２ｂを上下方向に伸縮可能とすることが推奨される。脚部１１，１２を伸縮可能とする構造としては例えば、外筒に内筒を移動可能に嵌入して所定位置で固定する構造などが挙げられる。もちろんこのような構造に限定されるものではなく、従来公知の構造を採用できる。そしてまた、防災用ベッドを載置する床面の強度が十分でなかった場合に備えて、避難用空間１０の底面をなす底板を本体フレーム１に取り付けても構わない。具体的には、図４において、敷板５０と略同形状の底板を、頭側脚部１１ａ，１１ｂおよび足側脚部１２ａ，１２ｂのそれぞれの下面に取り付けるのである。
【００２９】
一方、収納箱５３ａ，５３ｂには、避難用空間１０に避難した際に必要な道具や品物が収納される。具体的には、数日間分の食料と水、ジャッキ、懐中電灯、報知用の笛などである。図４に示すように、収納箱５３ａ，５３ｂは下辺を中心として揺動し、開口部５３１が開閉する。したがって前記道具や品物などは外側から収納箱５３ａ，５３ｂに収めることができる。また同時に、収納箱５３ａ，５３ｂの開口５３１は避難用空間１０に臨む形状をなしているので、避難用空間１０から収納箱５３ａ，５３ｂ内の道具や品物を自由に出し入れすることができる。
【００３０】
その他、図４には図示していないが、避難用空間１０には商業用電源コンセントや照明具を取り付けておくのが望ましい。
【００３１】
図５及び図６に、本発明に係る防災用ベッドの第２実施形態を示す。図５は、ヘッドフレーム２が通常位置にあるときの図であり、図６は、ヘッドフレーム２が防護位置にあるときの図である。図５の防災用ベッドでは、頭側脚部１１ａ，１１ｂ上にヘッドフレーム２の垂直柱部２１ａ，２１ｂが直立し、外観上１本の脚のようになっている。そして、図１の実施形態と同様に、ヘッドフレーム２の垂直柱部２１ａ，２１ｂと本体フレーム１の縦フレーム１３ａ，１３ｂとの間に手摺り３ａ，３ｂが取り付けられ、手摺り３ａ，３ｂに力を加えることによって、手摺り３ａ，３ｂとヘッドフレーム２とが回転軸４１を中心として図の矢印方向に回転して、図６に示す防護位置となる。
【００３２】
このような構成によれば、図１の実施形態に比べて、ヘッドフレーム２が回動するときに必要となる頭部側外方の空間が狭くて済み、防災用ベッドの実質的設置空間を従来のベッドと同程度とすることができる。
【００３３】
図７及び図８に、本発明に係る防災用ベッドの第３実施形態を示す。図７は、ヘッドフレーム２が通常位置にあるときの図であり、図８は、ヘッドフレーム２が防護位置にあるときの図である。図７の防災用ベッドにおいて、頭側脚部１１ａ，１１ｂが本体フレーム１の寝具載置面よりも上方に突出し、その突出した頭側脚部１１ａ，１１ｂの上端部にヘッドフレーム２の垂直柱部２１ａ，２１ｂの下端部が回動軸４２によって回動可能に連結されている。そして、本体フレーム１の頭側脚部１１ａ，１１ｂの上部と本体フレーム１の縦フレーム１３ａ，１３ｂとの間に手摺り３ａ，３ｂが取り付けられている。
【００３４】
地震が発生した場合には、ヘッドフレーム２に対して寝具載置方向に力を加える。すると、ヘッドフレーム２が回転軸４２を中心として図の矢印方向に回転して、ヘッドフレーム２の垂直柱部２１ａ，２１ｂが手摺り３ａ，３ｂに圧接して図８の防護位置となる。このようにヘッドフレーム２が防護位置のときに、垂直柱部２１ａａ，２１ｂが手摺り３ａ，３ｂと圧接するようにすると、転倒物や落下物などによってヘッドフレーム２に対して下方への力が加わったときに、ヘッドフレーム２が手摺り３ａ，３ｂによって支えられるようになるので大きな衝撃力にも耐えられるようになる。なお、ヘッドフレーム２が防護位置のときに、ヘッドフレーム２と寝具載置面との間に人身が入れる空間を確保するためには、手摺り３ａ，３ｂの垂直部の高さは４０ｃｍ以上とするのが望ましい。
【００３５】
また、ヘッドフレーム２が防護位置としたときに、転倒物や落下物などによる衝撃に耐えるようにするため、ヘッドフレーム２の垂直柱部２１ａ，２１ｂを手摺り３ａ，３ｂに圧接される構成の他、例えば図９に示すような構成としてもよい。
【００３６】
図９の防災用ベッドは、前記第３実施形態と同様に、本体フレーム１の寝具載置面よりも上方に突出した頭側脚部１１ａ，１１ｂの上端部にヘッドフレーム２の垂直柱部２１ａ，２１ｂの下端部が回動軸４２によって回動可能に連結されている。そして、垂直柱部２１ａ，２１ｂの側面に支持片６が揺動可能に取り付けられている。具体的には支持片６の上部がピン４３で軸着され、支持片６の下端は自由端となっている。
【００３７】
図９（ａ）〜（ｃ）に示すように、ヘッドフレーム２を通常状態から防護状態へ回転させると、上部が軸着されている支持片６の自由端側は常に重力方向を向くので、ヘッドフレーム２の回転に伴って支持片６はヘッドフレーム２の垂直柱部２１ａと所定の角度を形成するようになる。そして、ヘッドフレーム２が防護位置になると、支持片６はヘッドフレーム２に対して略垂直となり、且つ支持片６の下端が縦フレーム１３ａに当接するようになる（同図（ｃ））。これにより、ヘッドフレーム２は支持片６によって支えられるようになり、転倒物や落下物などによってヘッドフレーム２に対して下方への大きな衝撃力が加わっても耐えられるようになる。一方、ヘッドフレーム２を先程とは逆方向に回転させて防護位置から通常位置にすると、ヘッドフレーム２の回転に伴って、ヘッドフレーム２の垂直柱部２１ａの側面に重なるように支持片６は収納される。
【図面の簡単な説明】
【００３８】
【図１】本発明に係る防災用ベッドの一例を示す斜視図である。
【図２】図１の防災用ベッドのヘッドフレームが防護位置にあるときの斜視図である。
【図３】ヘッドフレームを防護位置で固定する手段の一例を示す動作図である。
【図４】図１の防災用ベッドに密閉可能な避難用空間を形成する場合の組立図である。
【図５】本発明に係る防災用ベッドの他の例を示す斜視図である。
【図６】図５の防災用ベッドのヘッドフレームが防護位置にあるときの斜視図である。
【図７】本発明に係る防災用ベッドのさらに他の例を示す斜視図である。
【図８】図７の防災用ベッドのヘッドフレームが防護位置にあるときの斜視図である。
【図９】本発明に係る防災用ベッドのまた他の例を示す説明図である。
【符号の説明】
【００３９】
１    本体フレーム
２    ヘッドフレーム
３ａ，３ｂ    手摺り
１０    避難用空間
１１ａ，１１ｂ    頭側脚部
１２ａ，１２ｂ    足側脚部
１３ａ，１３ｂ    縦フレーム
１４ａ，１４ｂ    横フレーム
１５    横桟
２１ａ，２１ｂ    垂直脚部
５１    ヘッドボード
５２ａ，５２ｂ    側板
５３ａ，５３ｂ    収納箱
【図１】
2006130204.tif 000003
【図２】
2006130204.tif 000004
【図３】
2006130204.tif 000005
【図４】
2006130204.tif 000006
【図５】
2006130204.tif 000007
【図６】
2006130204.tif 000008
【図７】
2006130204.tif 000009
【図８】
2006130204.tif 000010
【図９】
2006130204.tif 000011